(57)【要約】【課題】ユーザが簡単な操作で、磁気テープメディアに記録されたアナログ映像音声情報を、デジタル記録メディアになるべく少ない容量で効率的にダビングを行う。【解決手段】磁気テープメディアM21に記録されているテープ速度によって、デジタル記録メディアM22に記録するビットレートを調整する。【選択図】図２
2007042247.tif 000002
【特許請求の範囲】
【請求項１】
磁気テープメディアに記録されたアナログ映像音声情報を再生、及び、磁気テープメディアの早送り及び巻き戻しを行う、磁気テープメディア駆動再生装置と、
デジタル記録メディアに対して書込みを行うデジタル記録メディアアクセス装置と、
前記磁気テープメディア駆動再生装置によって再生されたアナログ映像音声情報をデジタル映像音声情報に変換し、前記デジタル記録メディアアクセス装置に出力するアナログデジタル変換装置と、
リモコンや本体キーやGUI画面入力などのユーザ入力及び、表示管やGUI画面表示などのユーザに対する出力を行うユーザインターフェース部と、
前記磁気テープメディア駆動再生装置に対して磁気テープメディアの再生及び再生一時停止処理を行う磁気テープメディア再生手段と、
前記磁気テープメディア駆動再生装置に対して磁気テープメディアの早送り及び巻き戻し処理を行う磁気テープメディア駆動手段と、
前記磁気テープメディア再生手段が再生及び再生一時停止処理を行っている際に、前記磁気テープメディアに記録されている再生コントロール信号から再生テープ速度を検出する再生テープ速度検出手段と、
前記アナログデジタル変換装置に対してデジタル記録メディアへ前記磁気テープメディア駆動再生装置からのアナログ映像音声情報を任意のビットレートでデジタル映像音声情報に変換し前記デジタル記録メディアアクセス装置に出力させ、デジタル映像音声情報をデジタル記録メディアに対して書込みを行うように処理し、デジタル映像音声情報の書込み終了時に、記録方式に従い記録番組情報を前記デジタル記録メディアアクセス装置に出力することで、前記デジタル記録メディアに対して記録番組情報の書込みを行うデジタル記録手段と、
前記磁気テープメディアに記録されている可能性があるテープ速度と、前記デジタル記録メディアに記録可能なビットレートの対応表が保持されているテープ速度−記録ビットレート変換テーブルを備えたダビング装置において、
前記ユーザインターフェース部からダビング操作が入力された時、前記磁気テープメディア再生手段に対し、再生一時停止指示を行い、前記磁気テープメディア再生手段が再生一時停止中に、前記再生テープ速度検出手段からテープ速度情報を取得し、前記テープ速度−記録ビットレート変換テーブルと前記テープ速度情報を用いて求めた記録ビットレートでデジタル記録メディアへの記録と磁気テープメディアの再生が同時に行われるよう前記デジタル記録手段と前記磁気テープメディア再生手段に指令しダビングを開始する機能を有し、また、ダビング操作前に前記ユーザインターフェース部から、前記磁気テープメディアの早送り操作又は巻き戻し操作が入力されたとき、前記磁気テープメディア駆動手段に早送り又は巻き戻し指示を出力し、前記磁気テープメディアのダビング開始位置を指定することができる機能を有した制御部を備えることを特徴とするダビング装置。
【請求項２】
前記制御部は、ダビング中に前記再生テープ速度検出手段が再生テープ速度の変化を検出した時に、前記磁気テープメディア再生手段に対し再生一時停止を指示と、前記デジタル記録手段に対して記録停止と記録番組情報の書込み指示を行い、前記デジタル記録手段が記録番組情報の書込みが完了した時に、前記再生テープ速度検出手段からテープ速度情報を取得し、前記テープ速度−記録ビットレート変換テーブルと前記テープ速度情報を用いて求めた記録ビットレートでデジタル記録メディアへの記録と磁気テープメディアの再生が同時に行われるよう前記デジタル記録手段と前記磁気テープメディア再生手段に指令しダビングを開始する機能を有することを特徴とする請求項１記載のダビング装置。
【請求項３】
前記ユーザインターフェース部からの操作によって、前記テープ速度−記録ビットレート変換テーブルの対応表の更新を行うことを特徴とする請求項１記載のダビング装置。
【発明の詳細な説明】
【技術分野】
【０００１】
本発明は、磁気テープメディアに記録されるアナログ映像音声情報を再生するアナログ再生機能と、ハードディスク(以下ＨＤＤ)などのデジタル記録メディアに対してデジタル映像音声情報を記録する機能を有する複合機であり、特に磁気テープメディアの内容をＨＤＤにダビングできるように構成された映像音声記録装置である。
【背景技術】
【０００２】
例えば、映画などの映像音声情報を記録するのに、従来から知られているアナログ的に記録する磁気テープ（ＶＨＳテープ）や、近年の圧縮符号化技術の発達に伴い普及しているデジタル的に記録するＨＤＤなどが用いられている。磁気テープを駆動させて情報を記録／再生する装置としてはＶＣＰ（ビデオカセットプレイヤー）などがあり、また、ＨＤＤドライブを駆動させて情報を記録／再生する装置としてはＨＤＤレコーダまた、ＨＤＤレコーダとＤＶＤレコーダの複合機などがある。
【０００３】
ところで、最近では、上記のようなＶＣＰとＨＤＤレコーダとＤＶＤレコーダが一体化した複合機が提案されている。このような複合機は、磁気テープに記録されている情報をＨＤＤやＤＶＤにダビングすることができる機能を有している。
【０００４】
この種の複合機の従来技術として、例えば、特許文献1に示される映像音声記録再生装置が知られている。
【０００５】
この映像音声記録再生装置では、磁気テープの内容をＤＶＤにダビングする前に、ＤＶＤに空き領域があるか確認を行い、空き領域が無い場合は警告を発生し空き領域を確保するようにメッセージを出力し、空き領域が確保された後、磁気テープを巻き戻して高速で磁気テープを再生させ録画モードが切り換わる位置と無信号の領域と磁気テープの種類とコピーガード信号の有無とを含むテープ情報を検出してメモリに記憶させ、再度巻き戻しを行い、磁気テープに記録された映像音声情報が可能な限り１枚のＤＶＤに収まるようにメモリに記憶されたテープ情報に従ってダビング時のビットレートを調整し磁気テープの無記録領域を除く映像音声情報をＤＶＤにダビングするように構成されている。
【０００６】
即ちこの構成によると、磁気テープが巻き戻され、高速で再生（早送り再生）され、この再生中に、テープ情報を検出し、再度始端まで巻き戻し再生を開始し、メモリに記憶された前記テープ情報に従ってダビング時のビットレートが調整されていき、磁気テープの無記録領域を除く映像音声情報がＤＶＤに磁気テープに記録された映像音声情報が可能な限り１枚のＤＶＤに収まるようにダビングされるように構成されている。
【特許文献１】実用新案登録第３０９２１４１号公報
【発明の開示】
【発明が解決しようとする課題】
【０００７】
しかしながら、上述した映像音声記録再生装置では、標準、３倍などの異なったテープ速度で記録された番組を持つＶＨＳテープを、ＨＤＤなどのデジタル記録メディアに、テープ速度ごとに異なったビットレートでダビングを行いたい場合、実際にダビングを開始するまでに、始端まで巻き戻しを行い、その後、終端まで高速再生を行い、その後巻き戻しを行った後でダビングが開始されるため、ダビングが開始するまでの時間が長くなるという課題を有している。
【０００８】
また、ダビングの開始位置がテープ始端に特定されてしまうため、テープの前半部分に不要な番組が記録されている場合、不要な番組も一緒にダビングされてしまうため効率がよくないという課題を有している。
【０００９】
本発明は、上記の課題を解決するためになされたもので、ユーザが簡単な操作でＶＨＳテープなどの磁気テープメディアに記録されているアナログ映像音声情報をテープ速度ごとにビットレートを調整しＨＤＤなどデジタル記録メディアにダビングを行う動作をなるべく短時間で行うと共に、前記ダビング動作の開始点をユーザが任意に指定することができるダビング装置を提供することを目的としている。
【課題を解決するための手段】
【００１０】
上記目的を達成するために請求工１の発明は、磁気テープメディアに記録されたアナログ映像音声情報を再生、及び、磁気テープメディアの早送り及び巻き戻しを行う、磁気テープメディア駆動再生装置と、
デジタル記録メディアに対して書込みを行うデジタル記録メディアアクセス装置と、
前記磁気テープメディア駆動再生装置によって再生されたアナログ映像音声情報をデジタル映像音声情報に変換し、前記デジタル記録メディアアクセス装置に出力するアナログデジタル変換装置と、
リモコンや本体キーやGUI画面入力などのユーザ入力及び、表示管やGUI画面表示などをのユーザに対する出力を行うユーザインターフェース部と、
前記磁気テープメディア駆動再生装置に対して磁気テープメディアの再生及び再生一時停止処理を行う磁気テープメディア再生手段と、
前記磁気テープメディア駆動再生装置に対して磁気テープメディアの早送り及び巻き戻し処理を行う磁気テープメディア駆動手段と、
前記磁気テープメディア再生手段が再生及び再生一時停止処理を行っている際に、前記磁気テープメディアに記録されている再生コントロール信号から再生テープ速度を検出する再生テープ速度検出手段と、
前記アナログデジタル変換装置に対してデジタル記録メディアへ前記磁気テープメディア駆動再生装置からのアナログ映像音声情報を任意のビットレートでデジタル映像音声情報に変換し前記デジタル記録メディアアクセス装置に出力させ、デジタル映像音声情報をデジタル記録メディアに対して書込みを行うように処理し、デジタル映像音声情報の書込み終了時に、記録方式に従い記録番組情報を前記デジタル記録メディアアクセス装置に出力することでし、前記デジタル記録メディアに対して記録番組情報の書込みを行うデジタル記録手段と、
前記磁気テープメディアに記録されている可能性があるテープ速度と、前記デジタル記録メディアに記録可能なビットレートの対応表が保持されているテープ速度−記録ビットレート変換テーブルを備えたダビング装置において、
前記ユーザインターフェイス部からダビング操作が入力された時、前記磁気テープメディア再生手段に対し、再生一時停止指示を行い、前記磁気テープメディア再生手段が再生一時停止中に、前記再生テープ速度検出手段からテープ速度情報を取得し、前記テープ速度−記録ビットレート変換テーブルと前記テープ速度情報を用いて求めた記録ビットレートでデジタル記録メディアへの記録と磁気テープメディアの再生が同時に行われるよう前記デジタル記録手段と前記磁気テープメディア再生手段に指令しダビングを開始する機能を有し、また、ダビング操作前に前記ユーザインターフェース部から、前記磁気テープメディアの早送り操作又は巻き戻し操作が入力されたとき、前記磁気テープメディア駆動手段に早送り又は巻き戻し指示を出力し、前記磁気テープメディアのダビング開始位置を指定することができる機能を有した制御部を備える事を特徴とするダビング装置を提供する。
【００１１】
この構成において、前記ユーザインターフェイス部からダビング操作が入力された時、前記磁気テープメディア再生手段に対し、再生一時停止指示を行い前記磁気テープメディア再生手段が再生一時停止中に、前記再生テープ速度検出手段からテープ速度情報を取得し、前記テープ速度−記録ビットレート変換テーブルと前記テープ速度情報を用いて記録ビットレートを求める。
【００１２】
そして、デジタル記録メディアへの記録と磁気テープメディアの再生が同時に行われるよう前記デジタル記録手段と前記磁気テープメディア再生手段に指令しダビングを開始する。
【００１３】
また、請求項２の発明は請求項１記載のダビング装置において、ダビング中に前記再生テープ速度検出手段が再生テープ速度の変化を検出した時に、前記磁気テープメディア再生手段に対し再生一時停止を指示と、前記デジタル記録手段に対して記録停止と記録番組情報の書込み指示を行い、前記デジタル記録手段が記録番組情報の書込みが完了した時に、前記再生テープ速度検出手段からテープ速度情報を取得し、前記テープ速度−記録ビットレート変換テーブルと前記テープ速度情報を用いて求めた記録ビットレートでデジタル記録メディアへの記録と磁気テープメディアの再生が同時に行われるよう前記デジタル記録手段と前記磁気テープメディア再生手段に指令しダビングを開始する機能を有する制御部を備える事を特徴とするダビング装置を提供する。
【００１４】
この構成において、ダビング中に前記再生テープ速度検出手段が再生テープ速度の変化を検出した時に、前記磁気テープメディア再生手段に対し再生一時停止を指示と、前記デジタル記録手段に対して記録停止と記録番組情報の書込み指示を行う。
【００１５】
そして、前記再生テープ速度検出手段からテープ速度情報を取得し、前記テープ速度−記録ビットレート変換テーブルと前記テープ速度情報を用いて記録ビットレート求める。
【００１６】
そして、デジタル記録メディアへの記録と磁気テープメディアの再生が同時に行われるよう前記デジタル記録手段と前記磁気テープメディア再生手段に指令しダビングを開始する。
【００１７】
請求項３の発明は請求項１記載のダビング装置において、  前記ユーザインターフェース部からの操作によって、前記テープ速度−記録ビットレート変換テーブルの対応表の更新ができる事を特徴とするダビング装置を提供する。
【発明の効果】
【００１８】
請求項１のダビング装置によれば、簡単なユーザ操作で例えばＶＨＳテープなどの磁気テープメディアに記録されるアナログ映像音声情報を、なるべく短時間で任意のテープ位置から記録されているテープ速度別に異なったビットレートでダビングを行うことができ、ＨＤＤなどのデジタル記録メディアの容量を効率的に節約できる。
【００１９】
また請求項２のダビング装置によれば、ダビング中にＶＨＳテープなどの磁気テープメディアの記録テープ速度が変化した場合でも、テープ速度別に異なったビットレートでダビングを行うことができ、ＨＤＤなどのデジタル記録メディアの容量を効率的に節約できる。
【００２０】
また請求項３ダビング装置によれば、ユーザがそのニーズに合わせてテープ速度−記録ビットレート変換テーブルをユーザ操作によって変更できる。
【発明を実施するための最良の形態】
【００２１】
（実施の形態１）
以下に図を用いて本発明の実施の形態を説明する。図1は本発明でのダビング装置の構成を示すブロック図である。
【００２２】
図１において、１はアナログ映像音声情報を記録再生することができる磁気テープメディア、３は磁気テープメディア１に記録されたアナログ映像音声情報を再生、及び、磁気テープメディア１の早送り及び巻き戻しを行う、磁気テープメディア駆動再生装置である。
【００２３】
２はデジタル映像音声情報を記録再生することができるデジタル記録メディア、５はデジタル記録メディア２に対して書込みを行うデジタル記録メディアアクセス装置、４は磁気テープメディア駆動再生装置３によって再生されたアナログ映像音声情報をデジタル映像音声情報に変換し、デジタル記録メディアアクセス装置５に出力するアナログデジタル変換装置である。11はリモコンや本体キーやGUI画面入力などのユーザ入力及び、表示管やGUI画面表示などのユーザに対する出力を行うユーザインターフェース部である。
【００２４】
７は磁気テープメディア駆動再生装置３に対して磁気テープメディア１の再生及び再生一時停止処理を行う磁気テープメディア再生手段、１２は磁気テープメディア駆動再生装置３に対して磁気テープメディアの早送り及び巻き戻し処理を行う磁気テープメディア駆動手段、８は磁気テープメディア再生手段７が再生及び再生一時停止処理を行っている際に、磁気テープメディア１に記録されている再生コントロール信号から再生テープ速度を検出する再生テープ速度検出手段である。
【００２５】
６はアナログデジタル変換装置４に対してデジタル記録メディア２へ磁気テープメディア駆動再生装置３からのアナログ映像音声情報を任意のビットレートでデジタル映像音声情報に変換しデジタル記録メディアアクセス装置５に出力させ、デジタル映像音声情報をデジタル記録メディア２に対して書込みを行うように処理し、デジタル映像音声情報の書込み終了時に、記録方式に従い記録番組情報をデジタル記録メディアアクセス装置５に出力することでデジタル記録メディア２に対して記録番組情報の書込みを行うデジタル記録手段である。１０は磁気テープメディアに記録されている可能性があるテープ速度と、デジタル記録メディア２に記録可能なビットレートの対応表が保持されているテープ速度−記録ビットレート変換テーブルである。
【００２６】
９はユーザインターフェイス部１１からダビング操作が入力された時、磁気テープメディア再生手段７に対し、再生一時停止指示を行い、磁気テープメディア再生手段７が再生一時停止中に、再生テープ速度検出手段８からテープ速度情報を取得し、テープ速度−記録ビットレート変換テーブル１０と前記テープ速度情報を用いて求めた記録ビットレートでデジタル記録メディア２への記録と磁気テープメディア１の再生が同時に行われるようデジタル記録手段6と磁気テープメディア再生手段７に指令しダビングを開始する機能を有する制御部である。
【００２７】
また制御部9はダビング中に再生テープ速度検出手段８が再生テープ速度の変化を検出した時に、磁気テープメディア再生手段７に対し再生一時停止の指示と、デジタル記録手段６に対して記録停止と記録番組情報の書込み指示を行い、デジタル記録手段６が記録番組情報の書込みが完了した時に、再生テープ速度検出手段8からテープ速度情報を取得し、テープ速度−記録ビットレート変換テーブル１０とテープ速度情報を用いて求めた記録ビットレートでデジタル記録メディア２への記録と磁気テープメディア１の再生が同時に行われるようデジタル記録手段６と磁気テープメディア再生手段７に指令しダビングを開始する機能を有する。また制御部9はダビング操作前にユーザインターフェース部１１から、磁気テープメディア１の早送り操作又は巻き戻し操作が入力されたとき、磁気テープメディア駆動手段３に早送り又は巻き戻し指示を出力し、前記磁気テープメディア１のダビング開始位置を指定することができる機能を有する。
【００２８】
例えば、標準、３倍などの異なったテープ速度で記録された番組を持つＶＨＳテープを、ＨＤＤなどのデジタル記録メディアに、テープ速度ごとに異なったビットレートでダビングを、簡単な操作でなるべく短時間で行い、また、前記ダビング操作の事前に、ＶＨＳテープのテープ位置を指定することで、ユーザが任意に開始位置を指定することができるダビング装置を得ることができる。
【００２９】
次にＶＨＳテープからＨＤＤへのダビングの様子を説明する。図２はVHSテープからHDDメディアへのダビング動作を示す図である。図４は、テープ速度−記録ビットレート変換テーブル１０の具体的な例を示した表である。
【００３０】
図２において、Ｍ２１はダビング元となるＶＨＳテープメディアであり、ＰＧ２１はＶＨＳテープメディアＭ２１に標準記録されている番組、ＰＧ２２はＶＨＳテープメディアＭ２１に３倍記録されている番組、ＰＧ２３はＶＨＳテープメディアＭ２１に標準記録されている番組、ＰＧ２４はＶＨＳテープメディアＭ２１に３倍記録されている番組であり、ＰＧ２１、ＰＧ２２、ＰＧ２３、ＰＧ２４の順で連続してＶＨＳテープメディアＭ２１に記録されている。Ｔ２１は、ＰＧ２１、ＰＧ２２、ＰＧ２３、ＰＧ２４の記録時間 (すなわち、ＰＧ２１、ＰＧ２２、ＰＧ２３、ＰＧ２４は同じ記録時間の番組である) である。
【００３１】
Ｍ２２はダビング先となるＨＤＤメディアであり、ＰＧ２５は、ダビング操作により、ＰＧ２１のテープ速度(標準)と図４の表より求められた記録ビットレート４．６Ｍｂｐｓで記録されたＰＧ２１の複写番組、ＰＧ２６は、ダビング操作により、ＰＧ２２のテープ速度(３倍)と図４の表より求められた記録ビットレート２．３Ｍｂｐｓで記録されたＰＧ２２の複写番組、ＰＧ２７は、ダビング操作により、ＰＧ２３のテープ速度(標準)と図４の表より求められた記録ビットレート４．６Ｍｂｐｓで記録されたＰＧ２３の複写番組、ＰＧ２８は、ダビング操作により、ＰＧ２４のテープ速度(３倍)と図４の表より求められた記録ビットレート２．３Ｍｂｐｓで記録されたＰＧ２４の複写番組である。Ｃ２１はＰＧ２５及びＰＧ２７の記録容量であり、Ｃ２２はＰＧ２６及びＰＧ２8の記録容量であり、Ｃ２２はＣ２１のおよそ半分の容量となる。
【００３２】
すなわち、同じ記録時間の番組であったとしても、テープ速度別に記録ビットレートを調整することで、効率的にＨＤＤメディアＭ２２の容量を節約することが可能である。
【００３３】
また、図４の表の記録ビットレートをユーザインターフェイス部１１から、例えば、ＧＵＩを用いて任意の値に変更する事ことで、ユーザがそのニーズに合わせて、記録ビットレートを調整することができる。
【００３４】
次に磁気テープメディアからデジタル記録メディアにダビングする実施例の手順を詳細に説明する。図３はVHSテープからHDDメディアへのダビングの詳細手順を示すタイミングチャートである。図３において、Ｍ３１はダビング元となるＶＨＳテープメディアであり、磁気テープメディア１に相当し、Ｍ３２はダビング先となるＨＤＤメディアであり、デジタル記録メディア２に相当する。ＴＣ３１は再生テープ速度検出手段８、磁気テープメディア再生手段７、磁気テープメディア駆動手段１２、制御部９、ユーザインターフェース部１１、デジタル記録手段６のタイミングチャートである。
【００３５】
まず、ダビング開始位置指定操作Ａ３１として、ユーザインターフェース部１１から巻き戻し又は早送り操作Ｅ３１が制御部９に対して行われることで、制御部９は磁気テープメディア駆動手段１２に対して、巻き戻し又は早送り指示Ｅ３２を行う。この巻き戻し又は早送り指示Ｅ３２を行うことで、磁気テープメディア駆動手段１２は巻き戻し又は早送り処理Ｊ３１を行い、テープ速度が標準で記録された番組ＰＧ３１の先頭にダビング開始位置を決める。なお、本実施の形態ではダビング開始位置指定操作Ａ３１として、磁気テープメディア駆動手段１２を用いているが、この操作は磁気テープメディア再生手段７を用いて、再生映像を確認しながら行うことも可能であり、どの方法を用いてダビング開始位置を指定するかはユーザが自由に選択することができる。
【００３６】
ダビング開始位置指定操作Ａ３１が終了したら、ユーザインターフェース部１１からダビング操作Ｅ３３を行うと制御部９は再生一時停止指示Ｅ３４を磁気テープメディア再生手段７に対して行い、磁気テープメディア再生手段７は再生一時停止処理Ｊ３２を行う事で、ＰＧ３１の先頭で再生一時停止状態になり、再生テープ速度検出手段８はテープ速度が標準であることを検知することができる。
【００３７】
その後、制御部９は磁気テープメディア再生手段７に対して、再生指示Ｅ３５と、再生テープ速度検出手段８が検出した標準のテープ速度と図４の表を用いて取得した記録ビットレート４．６Ｍｂｐｓを指定して、デジタル記録手段６に録画指示Ｅ３６を行うことで、磁気テープメディア再生手段７はＰＧ３１の再生処理Ｊ３３を始め、デジタル記録手段６は録画処理Ｊ３４を始めることにより、ＨＤＤメディアＭ３２に４．６Ｍｂｐｓで記録された番組ＰＧ３３の作成を開始する。
【００３８】
再生処理Ｊ３３がテープ速度が３倍で記録された番組ＰＧ３２にさしかかった瞬間に再生テープ速度検出手段８が検出するテープ速度が３倍に変化する。テープ速度の変化が発生した時に制御部９はデジタル記録手段６に対して録画停止指示Ｅ３８と、磁気テープメディア再生手段７に対して、再生一時停止指示Ｅ３７を行う事で、デジタル記録手段６は、番組情報記録処理Ｊ３６を行い、磁気テープメディア再生手段７は再生一時停止処理Ｊ３５を行う。
【００３９】
番組情報記録処理Ｊ３６が完了した時点で、４．６ＭｂｐｓでＰＧ３１が複写された番組ＰＧ３３の作成が完成する。ＰＧ３３の作成が完成したら、制御部９は再び、磁気テープメディア再生手段７に対して、再生指示Ｅ３９と、再生テープ速度検出手段８が検出した３倍のテープ速度と図４の表を用いて取得した記録ビットレート２．３Ｍｂｐｓを指定して、デジタル記録手段６に録画指示Ｅ３Ａを行うことで、磁気テープメディア再生手段７はＰＧ３２の再生処理Ｊ３７を始め、デジタル記録手段６は録画処理Ｊ３８を始めることにより、ＨＤＤメディアＭ３２に２．３Ｍｂｐｓで記録された番組ＰＧ３４の作成を開始する。
【００４０】
ダビングの終了要因が発生するまで上述した動作と同等の処理が繰り返される。
【００４１】
以上から上記にて説明したように、本実施の形態によれば、簡単なユーザ操作で例えばＶＨＳテープなどの磁気テープメディアに記録されるアナログ映像音声情報を、なるべく短時間で任意のテープ位置から記録されているテープ速度別に異なったビットレートでダビングを行うことができ、ＨＤＤなどのデジタル記録メディアの容量を効率的に節約できる。
【００４２】
また、本実施の形態によれば、ダビング中にＶＨＳテープなどの磁気テープメディアの記録テープ速度が変化した場合でも、テープ速度別に異なったビットレートでダビングを行うことができる。
【００４３】
また、本実施の形態によれば、ユーザがそのニーズに合わせてテープ速度−記録ビットレート変換テーブルをユーザ操作によって変更できるダビング装置を得ることができる。
【産業上の利用可能性】
【００４４】
以上のように、本発明にかかるダビング装置は、簡単なユーザ操作で例えばＶＨＳテープなどの磁気テープメディアに記録されるアナログ映像音声情報を、なるべく短時間で任意のテープ位置から記録されているテープ速度別に異なったビットレートでダビングを行うことができ、ＨＤＤなどのデジタル記録メディアの容量を効率的に節約できるので、映像音声記録装置等の用途にも適用できる。
【図面の簡単な説明】
【００４５】
【図１】ダビング装置の構成図
【図２】VHSテープからHDDメディアへのダビングの様子を示した図
【図３】VHSテープからHDDメディアへのダビングの詳細手順を示す図
【図４】テープ速度−記録ビットレート変換テーブル例を示した図
【符号の説明】
【００４６】
１    磁気テープメディア
２    デジタル記録メディア
３    磁気テープメディア駆動再生装置
４    アナログデジタル変換装置
５    デジタル記録メディアアクセス装置
６    デジタル記録手段
７    磁気テープメディア再生手段
８    再生テープ速度検出手段
９    制御部
１０    テープ速度−記録ビットレート変換テーブル
１１    ユーザインターフェース部
１２    磁気テープメディア駆動手段
Ｍ２１    ＶＨＳテープメディア
Ｍ２２    ＨＤＤメディア
ＰＧ２２    番組
ＰＧ２３    番組
ＰＧ２４    番組
ＰＧ２５    番組
ＰＧ２６    番組
ＰＧ２７    番組
ＰＧ２８    番組
Ｔ２１    記録時間
Ｃ２１    記録容量
Ｃ２２    記録容量
ＰＧ３１    番組
ＰＧ３２    番組
ＰＧ３３    番組
ＰＧ３４    番組
Ｍ３１    ＶＨＳテープメディア
Ｍ３２    ＨＤＤメディア
ＴＣ３１    タイミングチャート
Ａ３１    ダビング開始位置指定操作
Ｊ３１    巻き戻し又は早送り処理
Ｊ３２    再生一時停止処理
Ｊ３３    再生処理
Ｊ３４    録画処理
Ｊ３５    再生一時停止処理
Ｊ３６    番組情報記録処理
Ｊ３７    再生処理
Ｊ３８    録画処理
Ｅ３１    巻き戻し又は早送り操作
Ｅ３２    巻き戻し又は早送り指示
Ｅ３３    ダビング操作
Ｅ３４    再生一時停止指示
Ｅ３５    再生指示
Ｅ３６    録画指示
Ｅ３７    再生一時停止指示
Ｅ３８    録画停止指示
Ｅ３９    再生指示
Ｅ３Ａ    録画指示
【図１】
2007042247.tif 000003
【図２】
2007042247.tif 000004
【図３】
2007042247.tif 000005
【図４】
2007042247.tif 000006